(57)【要約】【課題】サイズの異なる刷版を作成可能としているときに、小さいサイズの刷版を作成するときの生産性の向上を図る。【解決手段】新聞印刷用の刷版を作成する製版システムでは、２Ｌ１Ｗサイズの印刷版１２Ａを用いた刷版を作成するときに、２Ｌ２Ｗサイズの印刷版１２Ｂに、２Ｌ１Ｗのサイズの印刷版１２Ａの２枚分の画像露光を施し、裁断装置で、この印刷版１２Ｂを、印刷版１２Ａのサイズに裁断した後、パンチ及び版曲げ処理を施すことにより、２Ｌ１Ｗサイズの印刷版１２Ａから作成したのと、同じサイズの刷版を作成する。【選択図】　　　　図８
2004114598.tif 000002
【特許請求の範囲】
【請求項１】
給版工程から供給される印刷版に対して、露光工程での画像露光、現像工程での現像処理、パンチ及び版曲げ工程でのパンチ処理及び版曲げ処理を施して印刷用の刷版を作成する印刷版の処理方法であって、
前記印刷版の画像情報に基づいて、露光処理の終了した該印刷版に裁断処理が必要か否かの判別し、裁断処理の必要な前記印刷版に対して画像の天地方向と直交する幅方向の所定位置で裁断することにより、同一サイズの複数枚の印刷版を作成して、該印刷版のそれぞれに対して、パンチ処理及び版曲げ処理を施すことを特徴とする印刷版の処理方法。
【発明の詳細な説明】
【０００１】
【発明の属する技術分野】
本発明は、新聞印刷等に用いる刷版を作成するための印刷版の処理方法に関する。
【０００２】
【従来の技術】
例えば新聞印刷用の刷版に用いられる印刷版（感光性平版印刷版）には、新聞１ページサイズの画像を形成可能な１Ｌ１Ｗサイズ、新聞１頁分の画像を縦に並べて形成可能な２Ｌ１Ｗサイズ、新聞１頁の画像を横に並べて形成可能な１Ｌ２Ｗサイズに加えて、新聞１頁分の画像を縦横に並べて、都合新聞４頁分の画像を形成可能な２Ｌ２Ｗサイズがあり、１Ｌ２Ｗサイズや２Ｌ２Ｗサイズでは、見開き頁の画像形成が可能となっている。
【０００３】
なお、２Ｌ１Ｗサイズの場合、縦寸法（２Ｌ）が約１１００ｍｍ（１０９５ｍｍ〜１１２４ｍｍ）、横寸法（１Ｗ）が約３９８ｍｍ（３８７ｍｍ〜４０５ｍｍ）が一般的サイズであり、２Ｌ２Ｗサイズの場合、縦寸法は略同じであるが、横寸法（２Ｗ）が８０４．５ｍｍ（７９７ｍｍ〜８１０ｍｍ）が一般的サイズとなっている。
【０００４】
新聞印刷に用いる印刷版のサイズは、２Ｌ１Ｗサイズ及び２Ｌ２Ｗサイズが主流となっているが、２Ｌ１Ｗサイズが多用されている。すなわち、印刷画像を形成した刷版を用いて印刷作業を行うときには、この刷版を輪転機の版胴に装着する。この輪転機の版胴は、周方向に沿って縦２頁分の印刷画像（印刷版）が装着されるようになっており、ここから、２Ｌ２Ｗサイズよりも２Ｌ１Ｗサイズの印刷版が多用されている。
【０００５】
ところで、ＤＴＰの普及と画像処理の多様化に伴って、新聞印刷の分野においても、画像データのデジタル化が進行しており、当初は、印刷する紙面の画像データに基づいて変調した光ビームを、印刷版に画像を形成するためのフィルムに照射しながら走査することにより、原稿フィルムを作成していたが、ＣＴＰ用の印刷版の普及に伴って、光ビームを用いて印刷版を走査露光することにより、印刷版に画像を形成するようになっている。
【０００６】
すなわち、従来の印刷版は、原稿フィルムを用いて密着露光するＰＳ版（コンベーショナル版）等が一般的であったが、感度向上を図ることにより、光ビームによって直接露光可能となる、サーマル版、フォトポリマー版、ＯＰＣ版等が用いられるようになっている。
【０００７】
このような印刷版の露光には、アウタードラム方式と、インナードラム方式が一般的となっている。
【０００８】
アウタードラム方式では、回転ドラムの外周に印刷版を巻き付けるように固定し、回転ドラム（アウタードラム）を高速回転させながら、画像データに応じて変調した光ビームを、回転ドラムの軸線方向に走査しながら照射することにより露光するようにしている。
【０００９】
また、インナードラム方式では、回転ドラム（インナードラム）の内周面に印刷版を配置し、画像データに応じて変調した光ビームを、スピナーによって偏向して、回転ドラムの内面の周方向に沿って走査して画像露光を行う。
【００１０】
アウタードラム方式及びインナードラム方式の何れにおいても、光ビームを印刷版の幅方向に走査するため、露光時間は、２Ｌ１Ｗサイズの印刷版であっても２Ｌ２Ｗサイズの印刷版の露光時間と略同じになる。このために、露光効率からは、２Ｌ２Ｗサイズの印刷版の使用することが好ましい。
【００１１】
このような背景にもかかわらず、新聞印刷の分野では、必要な紙面を必要な部数だけ短時間に印刷処理する要求が高く、また、前記した版胴を備えた輪転機が用いられていることから、２Ｌ２Ｗサイズの印刷版よりも、２Ｌ１Ｗサイズの印刷版の使用量が多くなっている。
【００１２】
一方、アウタドラム方式を用いた印刷版の製作方法としては、異なる複数ページ分の画像データを、印刷版の原材となるシート材に記録した後に、１ページ分ずつに切断することにより、露光時間の短縮を図る提案がなされている（特許文献１参照）。
【００１３】
すなわち、露光効率（殖版効率）から考えると、２Ｌ２Ｗサイズの印刷版の使用が好ましいが、実際の新聞印刷分用では、印刷効率を考慮した２Ｌ１Ｗサイズの印刷版が多用されている。
【００１４】
【特許文献１】
特許第３０５９６７１号
【００１５】
【発明が解決しようとする課題】
しかしながら、多数枚の刷版を作成する場合、露光時間の差が製版時間に大きな影響を及ぼすことがあり、特に新聞印刷の分野では、生産性の高い製版処理が要求されている。
【００１６】
本発明は上記事実に鑑みてなされたものであり、殖版効率と印刷効率を含めて、刷版の生産性の向上を図ることができる印刷版の処理方法を提案することを目的とする。
【００１７】
【課題を解決するための手段】
上記目的を達成するために本発明は、給版工程から供給される印刷版に対して、露光工程での画像露光、現像工程での現像処理、パンチ及び版曲げ工程でのパンチ処理及び版曲げ処理を施して印刷用の刷版を作成する印刷版の処理方法であって、前記印刷版の画像情報に基づいて、露光処理の終了した該印刷版に裁断処理が必要か否かの判別し、裁断処理の必要な前記印刷版に対して画像の天地方向と直交する幅方向の所定位置で裁断することにより、同一サイズの複数枚の印刷版を作成して、該印刷版のそれぞれに対して、パンチ処理及び版曲げ処理を施すことを特徴とする。
【００１８】
上記構成の本発明では、給版工程、露光工程、現像工程、パンチ工程及び版曲げ工程を経て印刷用の刷版を作成製版システムにおいて、露光肯定とパンチ工程の間に裁断工程を設けて、必要に応じて、印刷版に対する裁断処理を行う。
【００１９】
例えば、２Ｌ２Ｗサイズの印刷版を用いて画像露光を行い、この印刷版に対する現像処理が終了した後に裁断処理を施し、２Ｌ１Ｗサイズの印刷版を２枚作成する。
【００２０】
これにより、例えば、印刷工程で、２Ｌ１Ｗサイズの印刷版を用いた刷版を必要としているときに、２Ｌ２Ｗサイズの印刷版に、２Ｌ１Ｗサイズ２枚分の画像露光を施した後に、２Ｌ１Ｗサイズに裁断加工することにより、２Ｌ１Ｗサイズの刷版が、２枚得られる。また、裁断処理を行わないことも可能であるので、２Ｌ２Ｗサイズの印刷版を必要とするときには、裁断処理を行わずに、そのまま、パンチないし版曲げ処理を行うことにより、２Ｌ２Ｗサイズの刷版を得ることができる。
【００２１】
したがって、印刷版への露光効率の向上を図ることができ、これにより、サイズの異なる大量の刷版を必要とするときに、一台の製版システムでの刷版の生産性を向上させることができる。
【００２２】
【発明の実施の形態】
以下、図面を参照しながら本発明の実施の形態を説明する。図１には、本実施の形態に適用した製版システム１０の概略構成を示している。この製版システム１０は、印刷版１２に画像露光を施して新聞印刷用の刷版を作成するようになっており、給版工程１４、露光工程１６、現像工程１８、パンチ工程２０及び版曲げ工程２２を含んで形成されている。また、本実施の形態に適用した製版システム１０は、現像工程１８とパンチ工程２０の間に裁断工程２４が設けられている。
【００２３】
この製版システム１０で処理される印刷版１２は、アルミニウム等によって薄肉矩形形状に形成した支持体の表面に感光層を形成した一般的構成となっている。また、印刷版１２は、図２に示すように、新聞１頁サイズの画像２６を縦に並べて露光可能な２Ｌ１Ｗサイズの印刷版１２Ａ及び、図３（Ａ）に示すように、新聞１頁分の画像２６を縦横に並べて露光可能な２Ｌ２Ｗサイズの印刷版１２Ｂに対する処理が可能となっている。また、図３（Ｂ）に示すように、印刷版１２Ｂは、新聞見開き１頁分の画像２８を縦に並べて形成可能となっている。
【００２４】
なお、画像２６、２８は、天地方向が、印刷版１２の長手方向に沿って形成されるようになっており、以下では、印刷版１２の長手方向である天地方向を矢印Ｌ方向とし、天地方向と直交する印刷版１２の幅方向を矢印Ｗ方向とする。
【００２５】
一方、印刷版１２Ａとしては、長さ寸法Ｌ１が１０９５ｍｍ〜１１２４ｍｍであり、幅寸法Ｗ１が３８７ｍｍ〜４０５ｍｍとなっており（図２（Ａ）参照）、印刷版１２Ｂとしては、長さ寸法Ｌ２が１０９５ｍｍ〜１１２４ｍｍであり、幅寸法Ｗ２が７９７ｍｍ〜８１０ｍｍとなっているが（図３（Ａ）、図３（Ｂ）参照）、本実施の形態に適用した製版システム１０では、長さ寸法Ｌ１が１１００ｍｍ、幅寸法Ｗ１が３９８ｍｍの印刷版１２Ａと、長さ寸法Ｌ２が１１００ｍｍ、幅寸法Ｗ２が８０４．５ｍｍの印刷版１２Ｂを用いている。
【００２６】
図１に示すように、給版工程１４には、給版装置３０が設けられている。この給版装置３０には、多数枚の印刷版１２を搭載しているスキッド３２が装填されるようになっており、給版装置３０では、このスキッド３２上の印刷版１２を最上層から取出して、露光工程１６へ送り出す。
【００２７】
この給版装置３０には、印刷版１２Ａと印刷版１２Ｂのそれぞれが装填可能となっており、給版装置３０は、露光工程１６から要求されたサイズの印刷版１２（印刷版１２Ａ又は印刷版１２Ｂ）を取出して、露光工程１６へ送り出すようになっている。
【００２８】
露光工程１６には、露光装置３４が設けられている。この露光装置３４では、給版装置３０から供給される印刷版１２に対して画像露光を施す。この露光装置３４は、画像露光を施す印刷版１２に応じた構成を適用することができる。すなわち、製版システム１０では、露光装置３４に応じた印刷版１２が用いられる。
【００２９】
印刷版１２としては、従来から用いられて、露光画像が記録されている原稿フィルムを密着させて高輝度の光源から照射して、原稿フィルムを透過した光によって画像露光が施される所謂コンベーショナル版に加えて、サーマル版やフォトポリマー版及び、感光層として光重合層が用いられているＯＰＣ版等がある。
【００３０】
サーマル版、フォトポリマー版及びＯＰＣ版は、ＣＴＰ（Ｃｏｍｐｕｔｅｒ　ｔｏ　Ｐｌａｔｅ）処理に適用可能であり、ＣＴＰ処理では、パーソナルコンピュータ等の画像処理端末上で、新聞紙面用のレイアウト画像を作成し、このデジタル画像データに基づいて変調した光ビームによって印刷版１２を走査露光する。
【００３１】
このようなＣＴＰ処理用の印刷版１２に対しては、インナードラム式、アウタードラム式又はフラットベッド式等の従来公知の露光方法を適用することができる。
【００３２】
本実施の形態では、印刷版１２として、サーマル版、フォトポリマー版、ＯＰＣ版等のＣＴＰ処理用の印刷版１２を用いるようにしており、これにより、露光装置３４は、この印刷版１２に対して適切な露光処理が可能な構成を適用している。
【００３３】
近年、新聞紙面においてもカラー化されており、カラー印刷を行うときには、画像処理端末上で作成したレイアウト画像をＹ（イエロー）、Ｍ（マゼンタ）、Ｃ（シアン）、ＢＫ（スミ）の各色成分に分解したデジタル画像データを作成し、それぞれの色成分の画像が形成された刷版を作成する。すなわち、Ｙ版、Ｍ版、Ｃ版、ＢＫ版を作成する。
【００３４】
また、本実施の形態に適用する露光装置３４は、２Ｌ１Ｗサイズの印刷版１２Ａ及び２Ｌ２Ｗサイズの印刷版１２Ｂの何れに対する露光処理も可能となっている。
【００３５】
本実施の形態に適用した製版システム１０には、製版管理コンピュータ３６が設けられており、印刷版１２に形成する画像のデジタル画像データ及び製版条件が、製版管理コンピュータ３６から露光装置３４に入力されるようになっている。露光装置３４は、製版管理コンピュータ３６から入力される製版条件とデジタル画像データに基づいて印刷版１２に画像露光を施す。
【００３６】
このとき、露光装置３４では、製版条件に応じたサイズの印刷版１２を給版装置３０へ要求するようにしている。なお、このような給版装置３０及び露光装置３４は、一体に形成されているものであっても良い。
【００３７】
露光装置３４は、印刷版１２に画像露光を施すと、現像工程１８へ送り出す。この現像工程１８には、自動現像装置３８が設けられており、露光装置３４から送り出された印刷版１２は、この自動現像装置３８に挿入される。
【００３８】
自動現像装置１０は、印刷版１２の種類に応じたものが用いられており、例えば、印刷版１２を搬送しながら現像液、リンス液、不感脂化処理液（ガム液）等に順に浸漬して、露光によって不要となった感光層を除去する現像処理、現像処理によって印刷版１２の表裏面に付着した現像液を洗い流すリンス処理（洗浄処理）及び、洗浄処理の終了した印刷版１２の表裏面にガム液を塗布する。この後に、乾燥処理を行うことにより、ガム液による薄肉の保護膜を形成した印刷版が得られるようにしている。
【００３９】
なお、露光装置３４は、印刷版１２を幅方向に沿って送り出すようになっており、これにより、自動現像装置３８では、印刷版１２を、その幅方向に沿って搬送しながら現像処理を行う。また、現像工程１８から下流側においても、印刷版１２は、その幅方向に沿って搬送されながら処理される。
【００４０】
パンチ工程２０には、パンチ装置４０が設けられ、版曲げ工程２２には、版曲げ装置４２が設けられている。なお、パンチ工程２０及び版曲げ工程２２は、パンチ装置４０と版曲げ装置４２を一体にしたパンチ／版曲げ装置によって構成したものであっても良い。
【００４１】
図２（Ａ）、図３（Ａ）及び図３（Ｂ）に示すように、パンチ装置４０は、印刷版１２の天地方向に沿った両端部に、切欠き４４を形成する。また、図２（Ｂ）に示すように、版曲げ装置４２は、印刷版１２の天地方向の両端部のそれぞれに、曲げ加工を施す。
【００４２】
印刷版１２は、天地方向の両端部の所定位置に切欠き４４が形成されると共に、所定形状の曲げ加工が施されることにより、印刷工程で、印刷機の版胴に装着可能となる。
【００４３】
パンチ／版曲げ処理が終了した印刷版１２は、版曲げ装置４２から排出されることにより、印刷用の刷版として図示しないストッカーに集積され、印刷工程へ搬送される。
【００４４】
図４に示すように、印刷工程では、印刷版１２を、天地方向が周方向に沿うように版胴４６に巻き掛けられて装着される。この版胴４６には、外周部に溝４８が形成されている。この溝４８は、溝方向が版胴４６の軸方向に沿って形成されている。
【００４５】
図２（Ｂ）に示すように、印刷版１２には、くわえ側となる天地方向の一端側（例えば地側）に、曲げ部５０Ａが形成され、くわえ尻側となる天地方向の他端側に曲げ部５０Ｂが形成される。なお、図２（Ａ）、図３（Ａ）及び図３（Ｂ）には、印刷版１２に曲げ処理を施すときの曲げ位置の一例を破線で示している。
【００４６】
図４に示すように、印刷版１２は、版胴４６に巻き掛けるときに、くわえ側となる曲げ部５０Ａの先端を溝４８に挿入して引っ掛けることにより、版胴４６の周方向に沿った位置決めがなされる。また、印刷版１２は、版胴４６の周面に密着されて巻き付けられた後に、くわえ尻側となる曲げ部５０Ｂを、溝４８に挿入して固定されることにより、版胴４６に装着される。
【００４７】
また、版胴４６には、所定位置に図示しない位置決め用のピンが設けられており、印刷版１２を版胴４６に装着するときに、印刷版１２のくわえ側（曲げ部５０Ａ側）とくわえ尻側（曲げ部５０Ｂ）のそれぞれに形成している切欠き４４に、このピンを嵌め込むことにより、版胴４６の軸方向に対する印刷版１２の幅方向の位置決めがなされるようになっている。
【００４８】
版胴４６の軸方向に沿った位置決め用のピンの間隔は、印刷版１２Ａの幅寸法よりも僅かに広くなっており、これにより、例えば、４枚の印刷版１２Ａを、版胴４６に装着したときに、隣接する印刷版１２Ａが重なりあってしまうことがないようにしている。
【００４９】
また、図３（Ａ）及び図（Ｂ）に示す印刷版１２Ｂに形成される切欠き４４は、幅方向に沿った間隔であるピッチＰが、版胴４６に設けている位置決めピンの間隔に合わせられている。なお、本実施の形態では、このピッチＰが４０６．５ｍｍとなっている。また、印刷版１２Ｂでは、一方の切欠き４４（切欠き４４とする）の切込幅Ｄ１が６．０ｍｍ±０．０２ｍｍとなっているのに対して、他方の切欠き４４（切欠き４４Ｂとする）の切込幅Ｄ２を８ｍｍとすることにより、印刷版１２Ｂを版胴４６に装着したときに、歪み（幅方向に沿った撓み）が生じるのを防止している。
【００５０】
図５に示すように、版胴４６は、印刷工程５２の印刷ユニット５４に設けられており、印刷ユニット５４には、版胴４６の周囲に水ローラ５６及びインキローラ５８が配置されており、水ローラ５６及びインキローラ５８が、版胴４６に装着されている印刷版１２（図５では図示省略）と接触しながら回転するようになっている。これにより、印刷版１２には、画像部分のみインキが付着される。
【００５１】
また、印刷ユニット５４には、版胴４６に対向してブランケット胴６０が設けられており、このブランケット胴６０が、周面を印刷版１２に接触させながら回転する。これにより、印刷版１２の画像部分に付着していたインキがブランケット胴６０の周面に転写される。
【００５２】
この印刷ユニット５４は、版胴４６及びブラケット胴６０が印刷用紙６２の搬送路を挟んで対で配置されており、ブランケット胴６０が印刷用紙６２を挟持して回転することにより、ブランケット胴６０に転写されたインキのそれぞれが、記録用紙６２の表裏面に転写される。これにより、印刷版１２に形成された画像が印刷用紙６２に形成される。
【００５３】
印刷工程５２では、Ｙ、Ｍ、Ｃ、ＢＫの各色の画像を印刷用紙６２に記録するようになっている。すなわち、印刷工程５２には、印刷用紙６２の搬送路に沿ってＹ、Ｍ、Ｃ、ＢＫの各色の印刷ユニット５４が設けられており、これにより、印刷用紙６２にカラー画像が形成されるようにしている。
【００５４】
ところで、図１に示すように、製版システム１０には、裁断工程２４が設けられている。この裁断工程２４には、裁断装置６４が設けられている。図６及び図７には、裁断装置６４の一例を示している。
【００５５】
図１及び図６に示すように、裁断装置６４では、印刷版１２が幅方向に沿って搬送されるようになっている。図６及び図７に示すように、裁断装置６４には、この印刷版１２の搬送方向の中央部に裁断ユニット６６が設けられている。
【００５６】
図６に示すように、裁断装置６４には、裁断ユニット６６に隣接して、印刷版１２の搬送方向上流側（自動現像装置３８側）に、複数の定盤６８及びコンベアベルト７０が配設されている。定盤６８及びコンベアベルト７０は、印刷版１２の天地方向に沿って交互に配置されている。
【００５７】
自動現像装置３８から送り出された印刷版１２は、複数のコンベアベルト７０に掛け渡されて支持される。また、裁断装置６４では、図示しない版検出センサによって自動現像装置３８から送り出される印刷版１２を検知すると、コンベアベルト７０を回転駆動する。
【００５８】
これにより、自動現像装置３８から裁断装置６４に送り込まれた印刷版１２は、コンベアベルト７０に載置されて裁断ユニット６６へ向けて搬送される。
【００５９】
また、裁断装置６４には、裁断ユニット６６に隣接して、印刷版１２の搬送方向下流側（パンチ装置４０側）に、複数の定盤７０とコンベアベルト７２が印刷版１２の天地方向に沿って交互に配置されている。
【００６０】
コンベアベルト７２は、コンベアベルト７０によって搬送される印刷版１２を載置する。また、印刷版１２は、コンベアベルト７２が回転駆動することにより、裁断装置６４からパンチ装置４０へ向けて送り出されるようになっている。このとき、コンベアベルト７０、７２によって搬送される印刷版１２は、定盤６８上を移動するようになっている。
【００６１】
定盤６８のそれぞれには、吸着溝７４が形成されており、印刷版１２が載置されている状態で、吸着溝７４に負圧が供給されることにより、印刷版１２は、定盤６８のそれぞれに吸着保持される。
【００６２】
裁断装置６４では、通常、自動現像装置３８から印刷版１２が送り出されると、コンベアベルト７０、７２を回転駆動して、コンベアベルト７０、７２によって印刷版１２を載置して搬送し、パンチ装置４０へ送り出すようになっている。
【００６３】
また、裁断装置６４では、２Ｌ２Ｗサイズで予め定められた印刷版１２Ｂが所定位置（例えば図６で二点鎖線で示す位置）に達したときに、コンベアベルト７０、７２の回転駆動を停止することにより、この印刷版１２を複数の定盤６８とコンベアベルト７０、７２の間に掛け渡した状態で載置する。
【００６４】
なお、２Ｌ２Ｗサイズの印刷版１２Ｂであっても、２Ｌ２Ｗサイズで使用するときには裁断処理は行わず、この印刷版１２Ｂは、裁断装置６４を通過するようになっている。
【００６５】
一方、裁断装置６４には、印刷版１２の搬送方向下流側であるパンチ装置４０側の所定位置に複数のピンローラ７６が設けられており、搬送方向上流側である自動現像装置３８側には、ピンローラ７８を備えたプッシャー８０が設けられている。
【００６６】
ピンローラ７６、７８は、印刷版１２の搬送路上に出没可能に設けられ、印刷版１２の搬送路に突出することにより、周面が定盤６８及びコンベアベルト７０、７２の間に掛け渡されて載置されている印刷版１２Ｂの幅方向の端面に対向するようになっている。また、ピンローラ７８は、エアシリンダ８２が駆動すると、印刷版１２Ｂの幅方向に沿ってピンローラ７６側へ移動する。
【００６７】
裁断装置６４では、定盤６８及びコンベア７０、７２上に印刷版１２Ｂを載置した状態で、ピンローラ７６、７８を突出させた状態で、プッシャー８０のエアーシリンダ８２を作動させることにより、印刷版１２をピンローラ７６へ向けて移動する。これにより、印刷版１２Ｂがピンローラ７６に当接することにより、裁断ユニット６６に対する印刷版１２Ｂの幅方向に沿った位置決めがなされる。
【００６８】
裁断装置６４には、印刷版１２の天地方向に沿った一端側（例えば地側）の端面に対向してピンローラ８４が設けられ、他端側（例えば天側）の端面に対向するピンローラ８６を備えたプッシャー８８が設けられている。
【００６９】
裁断装置６４では、印刷版１２Ｂの幅方向に沿った位置決めを行うと、プッシャー８８のエアシリンダ９０を作動させて、ピンローラ８６を印刷版１２Ｂの天地方向に沿ってピンローラ８４側へ移動する。これにより、印刷版１２Ｂは、ピンローラ８６によってピンローラ８４へ向けて押されてピンローラ８４に当接し、裁断ユニット６６に対する天地方向に沿った位置決めがなされる。
【００７０】
なお、本実施の形態では、一例として、２個のピンローラ７６と１組のプッシャー８０を用いて印刷版１２Ｂの幅方向の位置決めを行い、１個のピンローラ８４と１組のプッシャー８８によって印刷版１２Ｂの天地方向の位置決めを行うようにしているが、印刷版１２Ｂの位置決めの構成はこれに限るものではない。
【００７１】
裁断装置６４では、印刷版１２Ｂの天地方向及び幅方向の位置決めを行うと、定盤６８の吸着溝７４に負圧を供給して、定盤６８上に印刷版１２を吸着保持する。これにより、印刷版１２Ｂは、所定位置が裁断ユニット６６に対向した状態で、定盤６８上に固定される。
【００７２】
図６及び図７に示すように、裁断ユニット６６は、定盤６８に載置された印刷版１２の下面に対向する一対の雌刃９２と、印刷版１２の上面に対向する雄刃９４（図６では図示省略）を備えている。雄刃９４は、エアシリンダ９６によって昇降可能に支持され、一対のガイド９８によって定盤６８に載置されて保持された印刷版１２Ｂの上面に対して垂直に上下移動可能となっている。
【００７３】
図６に示すように、位置決めされて定盤６８に吸着保持された印刷版１２の天地方向の両側から突出する長さとなっており、雄刃９４（図７参照）は、この雌刃９２の長さに応じた長さとなっている。
【００７４】
裁断ユニット６６は、エアシリンダ９６が作動することにより下降する雄刃９４が、雌刃９２の間に入り込むことにより、印刷版１２Ｂを裁断する。このとき、図７に示すように、雌刃９２の間隔である雄刃９４の刃幅で、印刷版１２Ｂの幅方向の中間部を、裁断クズ１００として除去する。
【００７５】
この裁断クズ１００は、雄刃９２の下方に配置している集積ガイド１０２によって集積箱１０４へ案内されて集積される。
【００７６】
一方、図３（Ａ）に示すように、製版システム１０で処理する印刷版１２Ａは、幅寸法Ｗ１が、３９８ｍｍであり、印刷版１２Ｂは、幅寸法Ｗ２が、印刷版１２Ａの幅寸法Ｗ１の２倍よりも僅かに大きい８０４．５ｍｍとなっている。ここから、印刷版１２Ｂを裁断することにより、２枚の印刷版１２Ａを得ることができる。このとき、幅寸法Ｗ３だけ余分となる（Ｗ３＝Ｗ２−Ｗ１×２、本実施の形態ではＷ３＝８．５ｍｍ）。
【００７７】
ここで、図７に示すように、裁断装置６４では、裁断ユニット６６の雌刃９２の間隔（雄刃９４の幅）を印刷版１２Ｂから印刷版１２Ａを切り出すときに余分となる幅寸法Ｗ３となるようにしている。
【００７８】
また、裁断装置６４では、印刷版１２の幅方向の中間位置が、裁断ユニット６６の雌刃９２と雄刃９４の間に対向するように、印刷版１２を裁断ユニット６６に対して位置決めするようになっている。
【００７９】
これにより、図８に示すように、裁断装置６４は、印刷版１２Ｂの幅方向の中間部を、裁断クズ１００として切除して、印刷版１２Ｂの幅方向の両端側を、印刷版１２Ａのサイズで切り出すようにしている。
【００８０】
このように構成されている製版システム１０では、給版装置３０に印刷版１２Ａ及び印刷版１２Ｂ、少なくとも印刷版１２Ｂが装填されている状態で製版処理を行う。
【００８１】
製版処理は、製版管理コンピュータ３６から露光条件と共に露光する画像のデジタル画像データが、露光装置３４に入力される。これにより、露光装置３４は、給版装置３０に、製版条件に応じたサイズの印刷版１２を要求する。給版装置３０は、露光装置３４から要求されたサイズの印刷版１２をスキッド３２上から取出すと、この印刷版１２を露光装置３４へ供給する。
【００８２】
露光装置３４は、印刷版１２が供給されると、露光条件に基づいて、印刷版１２への画像露光を行う。
【００８３】
多量（多部数）の新聞印刷を行う場合、通常、印刷版１２の天側と地側に同一の画像を形成する。また、印刷処理を行うときには、印刷用紙６２に左右の紙面を同時に印刷する。
【００８４】
さらに、ＣＴＰ処理用の露光装置３６では、印刷版１２の幅方向に沿って走査しながら画像露光を行うために、印刷版１２Ａであっても、印刷版１２Ｂと略同じ露光時間を要する。すなわち、２枚の印刷版１２Ａに画像露光を施すための露光時間の半分で、印刷版１２Ｂへの画像露光を行うことができる。
【００８５】
ここから、通常は、印刷版１２Ｂへの画像露光を行う。このときに、印刷版１２Ｂの幅方向の一方に奇数頁の画像が記録され、他方に偶数頁の画像が記録される。
【００８６】
画像露光された印刷版１２（印刷版１２Ｂ）は、露光装置３６から自動現像装置３８へ送られて現像処理されると、裁断装置６４を通過してパンチ装置４０へ送られる。
【００８７】
パンチ装置４０では、印刷版１２の天地方向の両端部の所定位置に、版胴４６へ装着するときの幅方向の位置決め用となる切欠き４４を形成して、版曲げ装置４２へ送り出す。版曲げ装置４２は、版胴４６への装着用及び版胴４６へ装着する時の天地方向の位置決めを行うための曲げ部５０Ａ、５０Ｂを形成する。
【００８８】
パンチ及び版曲げ処理の終了した印刷版１２は、版曲げ装置４２から排出されることにより、図示しないストッカーに順次集積される。また、ストッカーに集積された印刷版１２は、印刷用の刷版として、印刷工程５２へ搬送される。
【００８９】
ところで、新聞印刷を行うときには、版数が多くなるなどして、紙面構成に偏向が生じたときなどにおいて、版胴４６に、偶数頁を並べたり、奇数頁を並べて装着するために、印刷版１２Ｂで作成した刷版ではなく、印刷版１２Ａで作成した刷版を並べて装着する必要が生じることがある。
【００９０】
このとき、従来は、給版装置３０が、２枚の印刷版１２Ａを露光装置３４へ順に供給し、露光装置３４は、印刷版１２Ａに順に画像露光を施すようになっている。
【００９１】
これに対して、製版システム１０では、製版管理コンピュータ３６が、印刷版１２Ｂを用いて、２枚の印刷版１２Ａとして処理するように設定した露光条件と共に、記録する画像の画像データを露光装置３４へ出力する。
【００９２】
これにより、露光装置３４は、給版装置３０へ印刷版１２Ｂを要求し、印刷版１２Ｂが供給されると、この印刷版１２の幅方向の両側のそれぞれに、所定の画像を露光する。
【００９３】
露光装置３４は、印刷版１２Ｂへの画像露光が終了すると、この印刷版１２Ｂを自動現像装置３８へ送り出すと共に、製版管理コンピュータ３６から入力される露光条件から裁断処理が必要となるときには、裁断装置６４へ、印刷版１２Ｂの裁断要求を出力する。なお、裁断装置６４への裁断要求は、製版管理コンピュータ３６から裁断装置６４へ直接行うものであっても良い。
【００９４】
自動現像装置３８は、露光装置３４から送り込まれた印刷版１２Ｂに対する現像処理が終了すると、この印刷版１２Ｂを裁断装置６４へ出力する。
【００９５】
裁断装置６４は、この印刷版１２Ｂを検出すると、コンベアベルト７０、７２を駆動して、所定位置まで搬送し、定盤６８及び搬送ベルト７０、７２上に載置すると、ピンローラ７６とプッシャー８０によって幅方向の位置決め行うと共に、ピンローラ８４とプッシャー８８によって天地方向の位置決めを行う。
【００９６】
この後、定盤６８の吸着溝７４に供給する負圧によって印刷版１２Ｂを定盤６８上に吸着保持すると、ピンローラ７６及びプッシャー８０、８８を退避させると共に、裁断ユニット６６を作動させて、印刷版１２Ｂを所定位置で裁断する。
これにより、印刷版１２Ｂは、印刷版１２Ａと同じサイズ（以下、印刷版１２Ａとする）に分割される。
【００９７】
裁断装置６４は、印刷版１２Ｂに対する裁断処理が終了すると、定盤６８による吸着保持を解除して、まず、コンベアベルト７２を回転駆動して、コンベアベルト７２に載置されている印刷版１２Ａを、パンチ装置４０へ送り出す。
【００９８】
これにより、パンチ装置４０は、この印刷版１２Ａに対するパンチ処理を行い、版曲げ装置４２は、版曲げ処理を施す。
【００９９】
また、裁断装置６４は、先に送り出した印刷版１２Ａが、パンチ装置４０から版曲げ装置４２へ送り出されるタイミングに合わせて、コンベアベルト７０、７２を回転駆動して、残っている印刷版１２Ａを、パンチ装置４０へ送り出す。
【０１００】
製版システム１０では、このようにして印刷版１２Ｂから２枚の印刷版１２Ａを作成するようにしているので、給版装置３０から供給される２枚の印刷版１２Ａに、露光装置３４で別々に画像露光を施すのに比較して、大幅に露光時間を短縮することができる。すなわち、印刷版１２Ａの１枚分の露光時間で、２枚の印刷版１２Ａに画像露光ヲ施すことができる。
【０１０１】
これにより、製版システム１０では、大幅な露光時間の短縮が可能となり、新聞印刷用の刷版を作成するときの、生産性を大きく向上させることができる。
【０１０２】
また、製版システム１０では、印刷版１２Ｂから印刷版１２Ａのサイズの刷版を作成することができるので、印刷版１２Ｂのみを露光装置３４へ供給する給版装置を用いることができるので、印刷版１２Ａ吐印刷版１２Ｂの２種類ではなく、印刷版１２Ｂ一種類のみを管理すれば良いので、製版システム１０に用いる版管理が極めて容易となる。
【０１０３】
製版システム１０に用いる給版装置は、１種類の印刷版１２（印刷版１２Ｂ９のみが装填可能なものであれば良いため、装置の設置スペースを狭めることが可能となる。また、同じ設置スペースであれば、多数枚の印刷版１２の装填が可能となる。
【０１０４】
なお、以上説明した本実施の形態は、本発明の構成を限定するものではない。
例えば、裁断装置としては、印刷版１２Ｂの所定位置を適正に裁断することができるものであれば、裁断装置６４に限らず、任意の構成を適用することができる。
【０１０５】
また、本実施の形態では、印刷版１２Ｂの幅方向の中間部を裁断クズ１００として切除するようにしたが、印刷版１２Ｂから印刷版１２Ａを切り出す位置はこれに限るものではない。
【０１０６】
例えば、図９（Ａ）及び図９（Ｂ）に示すように、印刷版１２Ｂの幅方向の一端側に切除クズ１００（余り）が生じるように、幅方向の一方の画像２６を他方の画像２６側に片寄させて画像露光を行うようにしても良い。
【０１０７】
また、本実施の形態では、現像処理が終了した後に、印刷版１２の裁断を行うようにしたが、これに限らず、例えば露光装置３４と自動現像装置３８の間など、露光処理が終了してからパンチ処理を行うまでの間であれば任意のタイミングで裁断処理を行うものであれば良い。
【０１０８】
また、本実施の形態では、製版システム１０を例に説明したが、本発明は、これに限らず、任意の構成の製版システムでの印刷版の処理に適用することができる。
【０１０９】
【発明の効果】
以上説明したように本発明によれば、印刷版に対して画像露光を施した後に、必要に応じて裁断して、同じサイズの２枚の印刷版が得られるようにしているので、新聞印刷等を行うための製版時間を短縮して、刷版作成の生産性を向上させることができるという優れた効果が得られる。
【図面の簡単な説明】
【図１】本実施の形態に適用した製版システムの概略構成図である。
【図２】（Ａ）は印刷版１２Ａの概略平面図、（Ｂ）は版曲げ処理した印刷版を幅方向の一端側から見た概略図である。
【図３】（Ａ）及び（Ｂ）は印刷版１２Ｂの概略平面図であり、（Ａ）は新聞１頁分の画像を配置した例を示し、（Ｂ）は見開き頁の画像を配置した状態を示している。
【図４】印刷工程で用いる版胴に印刷版を装着した状態を示す概略斜視図である。
【図５】印刷工程に設けられる印刷ユニットの概略構成図である。
【図６】本実施の形態に適用した裁断装置を上方側から見た概略構成図である。
【図７】裁断装置を印刷版の天地方向側から見た要部の概略構成図である。
【図８】裁断装置によって裁断された印刷版を示す概略図である。
【図９】（Ａ）及び（Ｂ）は、印刷版の裁断位置の多の一例を示す概略図であり、（Ａ）は裁断前を示し、（Ｂ）は裁断後を示している。
【符号の説明】
１０　　製版システム
１２　　印刷版
１２Ａ　　２Ｌ１Ｗサイズの印刷版
１２Ｂ　　２Ｌ２Ｗサイズの印刷版
１４　　給版工程
１６　　露光工程
１８　　現像工程
２０　　パンチ工程
２２　　版曲げ工程
２４　　裁断工程
３０　　給版装置
３４　　露光装置
３６　　製版管理コンピュータ
３８　　自動現像装置
４０　　パンチ装置
４２　　版曲げ装置
５２　　印刷工程
６２　　印刷用紙
６４　　裁断装置
６６　　裁断ユニット
１００　　裁断クズ
１０４　　受け箱
【図１】
2004114598.tif 000003
【図２】
2004114598.tif 000004
【図３】
2004114598.tif 000005
【図４】
2004114598.tif 000006
【図５】
2004114598.tif 000007
【図６】
2004114598.tif 000008
【図７】
2004114598.tif 000009
【図８】
2004114598.tif 000010
【図９】
2004114598.tif 000011